(57)【要約】【課題】高周波調理器において、加熱室内の食品がマイクロ波により加熱調理される際に出る蒸気や調味料が飛散した時に加熱室壁面に付着し、マイクロ波透過性カバーのおもて面や裏面に流れて付着し、マイクロ波により加熱され、マイクロ波透過性カバーが溶融・変形してしまう。【解決手段】加熱室１と、マグネトロン２と、加熱室１の反対面の壁面には、導波管３と、加熱室１の壁面に給電口４と、給電口４からの蒸気や汚れの侵入を防止するため、塞ぐようにマイクロ波透過性カバー５と、マイクロ波透過性カバー５の上辺端面を覆うように防汚カバー６とを備え、蒸気や調味料が飛散した時に加熱室壁面に付着し、流れ落ちても、傘状の部材により、マイクロ波透過性カバーのおもて面や裏面に付着することを防止し、マイクロ波透過性カバーが溶融・変形しないようにすることができる。【選択図】図１
2013024535.tif 000002
【特許請求の範囲】
【請求項１】
加熱室と、高周波発生手段と、前記加熱室の反対面に形成され、前記高周波発生手段が発生したマイクロ波を導く導波管と、前記加熱室壁に形成され、前記導波管で導かれたマイクロ波を前記加熱室内に供給せしめる給電口と、この給電口を塞ぐマイクロ波透過性カバーと、このマイクロ波透過性カバーの上辺端面を覆うように、前記給電口より上の面に構成された傘状の部材を設けた高周波調理器。
【請求項２】
前記傘状の部材は両端部には加熱室壁面との隙間を小さくするような段差をつけたカバー押さえ部が、マイクロ波透過性カバーの固定を兼ねるように構成された請求項１に記載の高周波調理器。
【発明の詳細な説明】
【技術分野】
【０００１】
本発明は、マイクロ波を導波管で導き、給電口から加熱室内に供給する電子レンジ等の高周波調理器に関するものである。
【背景技術】
【０００２】
従来、高周波調理器は、マイクロ波発生手段であるマグネトロンから発生され導波管で導かれたマイクロ波を加熱室内に供給するための給電口と、この給電口を塞ぐマイクロ波透過性カバーで構成されている。
【０００３】
図４は従来の高周波調理器の要部断面図であり、図４に示すようにマグネトロン２と導波管３とマイクロ波透過性カバー５とで構成されている。
【０００４】
また、給電口４と給電口周縁部分に形成された給電口周縁座押し部７とから構成されているものもある（例えば、特許文献１参照）。
【先行技術文献】
【特許文献】
【０００５】
【特許文献１】特開平４−２０９４９３号公報
【発明の概要】
【発明が解決しようとする課題】
【０００６】
前記従来の構成では、マグネトロンから発生したマイクロ波は導波管により導かれ給電口より加熱室に照射され、過熱室内の食品を加熱調理する。この時、給電口の端面はマイクロ波による壁面電流が流れ発熱する。この、発熱によりマイクロ波透過性カバーが溶融・変形してしまう。
【０００７】
しかし、従来の構成のなかには、給電口周縁部分に形成された給電口周縁座押し部により、給電口周縁部分がマイクロ波透過性カバーと接触せず、溶融・変形しにくくした物もある。
【０００８】
しかしながら、このような従来の構成であっても、加熱室内の食品がマイクロ波により加熱調理される際に出る蒸気や調味料が、飛散した時に加熱室壁面に付着し、マイクロ波透過性カバーのおもて面や裏面に流れて付着し、マイクロ波により加熱され、マイクロ波透過性カバーが溶融・変形してしまうといった課題を有していた。
【０００９】
本発明は、食品からの蒸気や調味料からの汚れを防止し、マイクロ波透過性カバーが溶融・変形しない高周波調理器を提供することを目的とする。
【課題を解決するための手段】
【００１０】
前記従来の課題を解決するために、本発明の高周波調理器は、給電口を塞ぐマイクロ波透過性カバーと、このマイクロ波透過性カバーの上辺端面を覆うように、前記給電口より上の面に構成された傘状の部材を設けたものである。
【００１１】
これにより、加熱室内の食品がマイクロ波により加熱調理される際に出る蒸気や調味料が飛散した時に加熱室壁面に付着し、流れ落ちても傘状の部材により、マイクロ波透過性カバーのおもて面や裏面に付着することを防止することができる。
【００１２】
また、傘状の部材は両端部には加熱室壁面との隙間を小さくするような段差をつけたカバー押さえ部が、マイクロ波透過性カバーの固定を兼ねるように構成されたことにより汚れの付着を防止しつつ、マイクロ波透過性カバーと加熱室壁面との密着性を確保することが可能となる。
【発明の効果】
【００１３】
本発明の高周波調理器によれば、マイクロ波透過性カバーの上辺端面を覆うように、前記給電口より上の面に構成された傘状の部材を設けたことにより、食品からの蒸気や調味料からの汚れがマイクロ波透過性カバーへの付着を防止し、マイクロ波透過性カバーが溶融・変形しないという効果を有する。
【図面の簡単な説明】
【００１４】
【図１】本発明の実施の形態１における高周波調理器の要部断面図
【図２】本発明の実施の形態１における高周波調理器の斜視図
【図３】本発明の実施の形態２における高周波調理器の要部斜視図
【図４】従来の高周波調理器の要部断面図
【発明を実施するための形態】
【００１５】
第１の発明は、加熱室と、高周波発生手段と、前記加熱室の反対面に形成され、前記高周波発生手段が発生したマイクロ波を導く導波管と、前記加熱室壁に形成され、前記導波管で導かれたマイクロ波を前記加熱室内に供給せしめる給電口と、この給電口を塞ぐマイクロ波透過性カバーと、このマイクロ波透過性カバーの上辺端面を覆うように、前記給電口より上の面に構成された傘状の部材を設けたものである。
【００１６】
これにより、加熱室内の食品がマイクロ波により加熱調理される際に出る蒸気や調味料が飛散した時に加熱室壁面に付着し、流れ落ちても、傘状の部材により、マイクロ波透過性カバーのおもて面や裏面に付着することを防止し、マイクロ波透過性カバーが溶融・変形しない。
【００１７】
第２の発明は、特に、第１の発明の傘状の部材は両端部には加熱室壁面との隙間を小さくするような段差をつけたカバー押さえ部が、マイクロ波透過性カバーの固定を兼ねるように構成されたものであある。
【００１８】
これによって、汚れの付着を防止しつつ、マイクロ波透過性カバーと加熱室壁面との密着性を確保することが可能となる。
【００１９】
以下、本発明の実施の形態について、図面を参照しながら説明する。なお、本実施の形態によって本発明が限定されるものではない。
【００２０】
（実施の形態１）
図１は本発明の第１の実施の形態における高周波調理器の要部断面図、図２は、本発明の第１の実施の形態における高周波調理器の斜視図を示すものである。
【００２１】
図１において、本発明の第１の実施の形態における高周波調理器は、被加熱物を加熱するための加熱室１と、高周波波発生手段であるマグネトロン２と、加熱室１の反対面の壁面には、導波管３と、加熱室１の壁面に給電口４と、給電口４からの蒸気や汚れの侵入を防止するため、塞ぐようにマイクロ波透過性カバー５と、マイクロ波透過性カバー５の上辺端面を覆うように防汚カバー６が設けられて構成している。
【００２２】
以上のように構成された高周波調理器について以下その動作、作用について説明する。
まず、マグネトロン２から発生したマイクロ波は導波管３により導かれ給電口４より加熱室１に照射され、過熱室内の食品を加熱調理する。
【００２３】
この時、給電口４の端面はマイクロ波による壁面電流が流れ発熱する。さらに、マグネトロン２に近い給電口４の周縁部分はより大きな壁面電流が流れ、さらに発熱が大きくなる。通常、加熱室内の食品がマイクロ波により加熱調理されると、蒸気が出たり、調味料が飛散したりする。
【００２４】
この時に、加熱室１の壁面に付着した蒸気や調味料は、加熱室１の壁面を伝い、マイクロ波透過性カバーのおもて面に付着する。
【００２５】
また、マイクロ波透過性カバーと加熱室壁面には隙間があり、そこからマイクロ波透過性カバーの裏面にも流れて付着する場合がある。これが、前記給電口４の端面周縁部分に付着すると、その部分にマイクロ波が集中的に加熱され、さらに発熱が大きくなり、マイクロ波透過性カバーが溶融・変形したりするが、マイクロ波透過性カバー５の上辺端面を覆うように傘状の部材である防汚カバー６が設けられているため、マイクロ波透過性カバーのおもて面や裏面に付着することを防止し、マイクロ波透過性カバーの溶融・変形をなくすことができる。
【００２６】
（実施の形態２）
図３は、本発明の第２の実施の形態における高周波調理器の要部斜視図である。なお、実施の形態１と同一または同等部分については、説明を省略あるいは簡略化する。
【００２７】
図３において、傘状の防汚カバー６はマイクロ波透過性カバー５の上辺端面を覆うように設けられ、防汚カバー６の両端部には加熱室壁面との隙間を小さくするような段差をつけたカバー押さえ部８がある。この隙間に、マイクロ波透過性カバーを差し込むように固定されており、このカバー押さえ部８により、マイクロ波透過性カバー５は加熱室１の壁面に密着するように押しつけられるかたちとなり、マイクロ波透過性カバー５と加熱室壁面との密着性が向上し、さらに蒸気や調味料がマイクロ波透過性カバー５の裏面に侵入しにくくなる。
【００２８】
また、カバー押さえ部８は防汚カバー６の両端に設けられているため、この場所はマイクロ波による発熱の少ないところであり、この部分の傘部のオーバーラップ代が少なくなっても、マイクロ波透過性カバー５が溶融／変形することがない。
【産業上の利用可能性】
【００２９】
以上のように、本発明にかかる高周波調理器は、長期間使用して庫内が汚れてもマイクロ波透過性カバーが溶融・変形するといった不具合を防止することができるので、高周波調理器の用途に有効である。
【符号の説明】
【００３０】
１  加熱室
２  マグネトロン
３  導波管
４  給電口
５  マイクロ波透過性カバー
６  防汚カバー
７  給電口周縁座押し部
８  カバー押さえ部
【図１】
2013024535.tif 000003
【図２】
2013024535.tif 000004
【図３】
2013024535.tif 000005
【図４】
2013024535.tif 000006